(57)【特許請求の範囲】
【請求項１】
高温液体を容器に溜めて所定箇所へ圧送するものにおいて、高温液体を溜め置く高温液体容器に少なくとも２種類の流体を混合する混合器を取り付け、当該混合器がノズルを内蔵したエゼクタで形成され、当該ノズルに圧縮空気供給管を接続し、エゼクタの吸引口に冷却流体供給管を接続して、混合器の出口を高温液体容器の内部と連通すると共に、高温液体容器に管を介して液体圧送手段を接続したことを特徴とする液体圧送装置。
【発明の詳細な説明】
【０００１】
【発明の属する技術分野】
本発明は燃料や水等の液体を圧送する液体圧送装置に関し、特に、高温の液体を圧送する場合に発生する再蒸発蒸気を低減するものに関する。本発明の液体圧送装置は、蒸気系で発生した蒸気の凝縮水としての復水を一旦集めて、この高温液体である復水をボイラ―や排熱利用装置へ圧送する装置として特に適するものである。
【０００２】
【従来の技術】
従来のこの種の液体圧送装置としては、例えば特開平７−１３９７０５号公報に示されたものがある。これは、蒸気使用装置の二次側にスチ―ムエゼクタと復水タンクと流体圧送式のポンプ手段とを順次接続したもので、蒸気使用装置で発生した高温液体としての復水をスチ―ムエゼクタで吸引して復水タンクへ溜め置き、この復水タンク内の復水をポンプ手段でボイラ―等の所定箇所へ圧送するものである。
【０００３】
【発明が解決しようとする課題】
上記従来の液体圧送装置では、高温液体としての復水を溜め置く復水タンクで大量の再蒸発蒸気が発生し、タンク周辺にモヤモヤと立ち込めて環境条件を悪化させる問題があった。
【０００４】
また、モヤモヤと立ち込める再蒸発蒸気を確実に凝縮させて環境の悪化を防止する程度に再蒸発蒸気を低減させるためには大量の冷却水を必要とする問題があった。
【０００５】
従って本発明の技術的課題は、大量の冷却流体を要することなく、再蒸発蒸気を低減することのできる液体圧送装置を得ることである。
【０００６】
【課題を解決するための手段】
上記の課題を解決するために講じた手段は、高温液体を容器に溜めて所定箇所へ圧送するものにおいて、高温液体を溜め置く高温液体容器に少なくとも２種類の流体を混合する混合器を取り付け、当該混合器がノズルを内蔵したエゼクタで形成され、当該ノズルに圧縮空気供給管を接続し、エゼクタの吸引口に冷却流体供給管を接続して、混合器の出口を高温液体容器の内部と連通すると共に、高温液体容器に管を介して液体圧送手段を接続したものである。
【０００７】
【発明の実施の形態】
高温液体容器に取り付けた混合器に圧縮空気供給管と冷却流体供給管を接続したことにより、混合器でこれらの圧縮空気と冷却流体が混合されて、出口から高温液体容器の内部へ供給される。この場合、高温液体容器内へ至る圧縮空気は供給前の高圧状態から容器内の低圧状態まで圧力が低くなって断熱膨脹をする。この断熱膨脹により混合された冷却流体は熱を奪われて更に低温状態となり、高温液体容器内の再蒸発蒸気を急速に冷却し凝縮させることができる。
【０００８】
圧縮空気が断熱膨脹して冷却流体を冷却する割合だけ蒸気の凝縮が進むこととなり、只単に冷却流体だけを供給して再蒸発蒸気を凝縮する場合と比較して、より少ない冷却流体でもって蒸気を確実に凝縮させることができ、モヤモヤと立ち込める再蒸発蒸気を低減することができる。
【０００９】
圧縮空気と冷却流体を混合する混合器としては、例えば、ノズルを内蔵したエゼクタを用いることができる。即ち、ノズルに圧縮空気供給管を接続して、エゼクタの吸引口に冷却流体供給管を接続すると共に、エゼクタの出口を高温液体容器の内部と連通することにより、ノズルを通過する圧縮空気は冷却流体を吸引しつつ断熱膨脹をして高温液体容器へ供給され、容器内の再蒸発蒸気を凝縮させてモヤモヤを低減することができる。
【００１０】
【実施例】
図１において、高温液体容器１と、高温液体容器１に復水等の高温液体を供給する復水供給管２と、高温液体容器１に取り付けた混合器としてのエゼクタ３と、エゼクタ３に接続した圧縮空気供給管４と冷却流体供給管５、及び、液体圧送手段としてのポンプ手段６で液体圧送装置を構成する。
【００１１】
圧縮空気供給管４は図示しない高圧圧縮空気の供給源と接続すると共に、バルブ７を介して混合器としてのエゼクタ３のノズル部８と接続する。ノズル部８の内部には絞り部を内蔵すると共に、その外周部に吸引口９を設ける。吸引口９にはバルブ１０を介して冷却流体供給管５を接続する。
【００１２】
ノズル部８の下方にディフュ―ザ部１１を設けて、高温液体容器１の上部開口部１２に取り付ける。ディフュ―ザ部１１の下部に、圧縮空気又は圧縮空気と冷却流体との混合流体をディフュ―ザ部１１下方全周に噴射する噴射口１３，１４を取り付ける。この噴射口１３，１４から噴射される圧縮空気又は混合流体は、高温液体容器１内の再蒸発蒸気を開口部１２から外部に排出しないようにすると共に、再蒸発蒸気をディフュ―ザ部１１下方に集めて凝縮を促進するためのものである。ディフュ―ザ部１１の下方で高温液体容器１内の上方には、圧縮空気と冷却流体の混合流体を高温液体容器１内のほぼ全体にわたって分散する分散板１５を取り付ける。分散板１５は略円錐形状で複数の連通孔１６を設けたものである。
【００１３】
復水供給管２はスチ―ムトラップ１７を介して図示しない蒸気使用装置の出口側や再蒸発タンク等と接続して高温液体としての復水を高温液体容器１内へ供給する。高温液体容器１内に至った復水は容器１内で再蒸発する。
【００１４】
高温液体容器１の下端には、凝縮した再蒸発蒸気と冷却流体を液体圧送手段としてのポンプ手段６へ流下させるための管１８を、バルブ１９と逆止弁２０を介して接続する。逆止弁２０は、高温液体容器１からポンプ手段６への流体の流下のみを許容し、その反対の流体の通過は阻止するものである。
【００１５】
ポンプ手段６は、管１８から液体が流下すると共に、同じく逆止弁２１を設けた管２２から液体を所定箇所へ圧送するものであり、管２２は途中で分岐して冷却流体供給管５と接続する。ポンプ手段６には、バルブ２３を介して高圧の圧送用流体を供給する高圧圧送流体管２４を接続すると共に、圧送終了後の高圧圧送流体を外部に排出する排出管２５をバルブ２６を介して接続する。高圧圧送流体管２４には、圧縮空気供給管４を分岐して接続することもできる。
【００１６】
高温液体容器１から逆止弁２０を通ってポンプ手段６内へ流下した液体が所定の液位に達すると、内部に設けた液位検出機構が働いてポンプ手段６内部と高圧圧送流体管２４が連通すると共に、排出管２５が遮断され、ポンプ手段６の内部に溜っていた液体は高圧圧送流体管２４からの流体により、逆止弁２１を経て管２２から所定の箇所へ圧送されるものである。
【００１７】
高温液体容器１内で発生する再蒸発蒸気を低減させる場合は、混合器としてのエゼクタ３で圧縮空気と冷却流体を混合させ高温液体容器１内へ供給することにより、再蒸発蒸気を凝縮させてモヤモヤを低減する。即ち、圧縮空気供給管４から供給される圧縮空気は、エゼクタ３のノズル部８で絞られて流速を増し吸引力を発生して吸引口９から冷却流体を吸引し混合されて高温液体容器１内へ供給される。この場合、圧縮空気の断熱膨脹によって冷却流体が冷却されながら圧縮空気と混合される。圧縮空気と冷却流体の混合流体は分散板１５により高温液体容器１内全体に行き渡るように供給される。供給された混合流体は、高温液体容器１内に充満している再蒸発蒸気と熱交換し、再蒸発蒸気を凝縮させて下端の管１８からポンプ手段６へ流下する。
【００１８】
ポンプ手段６へ流下して溜った液体は前述した通り管２２から所定箇所へ圧送される。本実施例においては、冷却流体供給管５と管２２を接続したことにより、ポンプ手段６からの圧送液体の一部を、高温液体容器１へ供給する冷却流体として利用することができる。
【００１９】
本実施例においては、高温液体容器１内に１台の混合器としてのエゼクタ３を配置した例を示したが、高温液体容器１の大きさや凝縮させる再蒸発蒸気の量に応じてエゼクタ３の数は１台に限られることはなく、２台以上の複数台を配置することもできる。
【００２０】
【発明の効果】
本発明によれば、圧縮空気の断熱膨脹によって冷却流体を低温状態として高温液体容器内へ供給することができ、より少ない冷却流体でもって再蒸発蒸気を確実に低減させることができる。
【００２１】
また、混合器からは冷却流体のみならず、断熱膨脹して低温化した圧縮空気も混合して供給されることとなり、更に確実に高温液体容器内の蒸気を凝縮させ低減することができる。
【図面の簡単な説明】
【図１】本発明の液体圧送装置の実施例を示す一部断面構成図である。
【符号の説明】
１  高温液体容器
２  復水供給管
３  エゼクタ
４  圧縮空気供給管
５  冷却流体供給管
６  ポンプ手段
８  ノズル部
９  吸引口
１１  ディフュ―ザ
１５  分散板
２０，２１  逆止弁
２４  高圧圧送流体管
【図１】
0003895420.tif 000002